(57)【特許請求の範囲】
【請求項１】
胴体部と、該胴体部の下部において当該胴体部と一体又は別体に設けた脚筒からなる脚部と、前記胴体部の上部左右において連続した袖筒からなる袖部と、同胴体部の上端部に連続したフード部とを備える防護服本体に設けた開閉自在なファスナ部材による開閉部を具備してなる放射能汚染防護服において、前記開閉部は、前記ファスナ部材を前記防護服本体の背部における前記脚部の上部域から前記フード部の頂部を通って当該フード部の前面開口部にわたり設けたことにより、前記開閉部が開かれると前記胴体部の前面上端部に開かれた開閉部に連続する略Ｕ字状の開放部が形成され、前記開閉部を完全に閉じると前記フード部の前部略中央に顔出し用の窓となる開口部が形成されるようにしたことを特徴とする放射能汚染防護服。
【請求項２】
前記開閉部を閉じたときに前記ファスナ部材を外側からカバーするカバーテープが当該ファスナ部材の片側に配設されてなる請求項１に記載の放射能汚染防護服。 
【発明の詳細な説明】
【技術分野】
【０００１】
本発明は、放射性物質等の汚染物質が身体に付着して被曝することを防止するため、主として核施設内作業において用いる放射能汚染防護服に関するものである。
【背景技術】
【０００２】
例えば、原子力発電所内においては、補修、点検或いは清掃のために原子炉の周辺設備に作業者が近づく必要がある場合、作業中に生ずる放射性物質（粉塵、水滴等）による身体への汚染ないし被曝を防ぐために、作業者は防護服を着用して作業を行うのが通常である。
【０００３】
この種の放射能汚染防護服としては、胴体部の下端に筒状の１対の脚部を設け、胴体部の上部両側に１対の袖部を設け、胴体部の上部中央にはフード部を連続して設け、さらに、胴体部の前部中央には、上部のフード部付近から脚部の上部付近に至って開閉自在なファスナが設けられた構成のものが既に提案されている（特許文献１参照）。
【先行技術文献】
【特許文献】
【０００４】
【特許文献１】特開２００５−２３４６０号公報
【発明の概要】
【発明が解決しようとする課題】
【０００５】
特許文献１においても見られるように、従来の防護服は、胴体前部にファスナ部材が設けられたいわば前開き構造であったため、作業が終了してこれを脱衣する際、作業者が手袋をはめた手でファスナ部材を操作すると手袋に付着した放射性物質が飛散し、開いたファスナの間などから身体に付着して被曝等してしまうことがあった。
【０００６】
本発明は、上記課題を解決するためになされたものであって、脱衣時に汚染物質が身体に付着することを完全に回避できる放射能汚染防護服を提供することを目的とする。
【０００７】
上記課題を解決することを目的としてなされた本発明放射能汚染防護服の構成は、胴体部と、該胴体部の下部において当該胴体部と一体又は別体に設けた脚筒からなる脚部と、前記胴体部の上部左右において連続した袖筒からなる袖部と、同胴体部の上端部に連続したフード部とを備える防護服本体に設けた開閉自在なファスナ部材による開閉部を具備してなる放射能汚染防護服において、前記開閉部は、前記ファスナ部材を前記防護服本体の背部における前記脚部の上部域から前記フード部の頂部を通って当該フード部の前面開口部にわたり設けたことにより、前記開閉部が開かれると前記胴体部の前面上端部に開かれた開閉部に連続する略Ｕ字状の開放部が形成され、前記開閉部を完全に閉じると前記フード部の前部略中央に顔出し用の窓となる開口部が形成されるようにしたことを特徴とするものである。
【０００８】
本発明放射能汚染防護服は、上記構成において、前記開閉部を閉じたときに前記ファスナ部材を外側からカバーするカバーテープが同ファスナ部材の片側に配設されていることを特徴とするものである。
【発明の効果】
【０００９】
本発明によれば、防護服本体の背部に、脚筒の上部付近からフード部の前面開口までにファスナにより開閉できる開閉部を設けたことにより、脱衣時に防護服ないしこれに付着した汚染物質が着用者に触れるおそれを大きく低減することができ、より安全性の高い防護服を得ることができるようになる。
【図面の簡単な説明】
【００１０】
【図１】本発明放射能汚染防護服の一実施例の正面図
【図２】本発明放射能汚染防護服の一実施例の側面図
【図３】本発明放射能汚染防護服の一実施例の開閉部を開いた状態を表す正面図
【図４】本発明放射能汚染防護服の他の実施例の着用状態を表す正面図
【図５】本発明放射能汚染防護服の他の実施例を表す背面図
【図６】図５のＶＩ−ＶＩ線断面図
【図７】本発明放射能汚染防護服の他の実施例の正面図
【発明を実施するための形態】
【００１１】
以下、本発明の実施形態の一例を図面とともに説明する。
【００１２】
図１は本発明に係る放射性物質防護服の正面図、図２は同じく側面図、図３は開閉部を開いた状態を表す正面図である。
【００１３】
各図において、本発明放射能防護服Ａは、防護服本体１と、防護服本体１の背部に設けられた開閉部７に取付けられたファスナ部材８とで構成されている。
【００１４】
防護服本体１は、胴体部２と、胴体部２の下部において当該胴体部２と一体（他の実施例）又は別体（本実施例）に設けられた一対の脚筒からなる脚部３と、胴体部２の上部左右に設けられた一対の袖筒からなる袖部４と、胴体部２の上端部に連設されたフード部５とで構成されており、このフード部５の前部中央には顔出し用に開口した顔出し窓部６が設けられている。
【００１５】
図３は脱衣時の状態を示す背面図であって、胴体部２の背後の中央には脚部３の上部付近からフード部５にかけて開閉部７が形成され、この開閉部７の両側にファスナ部材８が取付けられている。
【００１６】
胴体部２の前部の上端には開閉部７から連続する略Ｕ字状の開放部９が形成され、ファスナ部材８を閉じたとき、この開放部９の上端が閉じられて、図１に示すように、顔出し窓部６が形成されるようになっている。
【００１７】
ファスナ部材８の片側には、被曝の原因である汚染水等が付着するのを防止するカバーテープ１０が取り付けられている（図６参照）。
【００１８】
なお、防護服本体１の生地としては、例えばポリエステル素材の混紡生地の織物、不織布あるいはシート材など遮水性、制菌性及び制電性を有する柔軟剤であることが好ましいが、これに限定されないことは勿論である。
【００１９】
また、本発明防護服Ａは、上衣の袖筒の長さ方向の内部にゴム紐等の伸縮性部材を伸張状態で連続的又は断続的もしくは部分的に縫着する一方、下衣の脚筒の長さ方向内部にゴム紐等の伸縮性部材を伸張した状態で連続的又は断続的もしくは部分的に縫着したことによって伸縮性を有するつなぎ型の作業衣として構成すること、あるいは袖筒の下側から胴体部の側部を通り脚筒の側部にかけて伸ばした状態の伸縮性部材を取付けて伸縮性を備えるよう構成すること等が可能である。
【００２０】
左右の肩を含む前後身頃の上部側が炭素繊維又は金属繊維を織り込んだ導電性を備えた布地で形成され、その他の胴部を含む前後身頃が導電性のメッシュ地で形成されていると共に、前後身頃に帯電防止機能を備えた反射板が取付けられ、かつ、開閉部のファスナは、合成樹脂のような非金属材で形成したことによって帯電防止効果を有するように構成することも任意である。
【００２１】
さらに、股裂け防止目的で袖筒の下側から胴体部の側部を通り脚筒の側部にかけて伸ばした状態の伸縮性部材を取付けると共に、前記脚筒の股部にマチ部材を設けることも可能である。
【００２２】
図４および図５に示す胴体部２と脚部３が一体になった本発明の他の実施例の防護服Ａの着用時は、脚部３に足を、袖部４に手をそれぞれ通し、ファスナ８のスライダ８ａを上端までスライドさせることにより、ファスナ８を閉じ、顔出し窓部６から目鼻だけを出した状態となり、この状態で核施設において作業する。
【００２３】
ファスナ８の開閉は、スライダ８ａが上端に位置するときに開いた状態、下端に位置するときに閉じた状態となるよう、本実施例とは逆の開閉方向を備えるものに構成することは、当然任意である。
【００２４】
なお、ファスナ８の操作は着用者とは別人に手伝ってもらうことが安全性からも望ましいことは言うまでもない。
【００２５】
作業が終了し、防護服Ａを脱衣するときは、図３に示すように、スライダ８を下方にスライドさせ下端まで移動させることにより、ファスナ８を開き、開閉部７を大きく開いて、フード部５を前方に移動させ、袖部４から手を抜き、最後に脚部３から足を抜くことによって、安全に脱衣することができる。
【００２６】
ファスナ８の開放操作も着用者とは別の人に手伝ってもらうのが望ましいことは勿論である。
【００２７】
従来のように、前部にあるファスナ部材の開閉を着用者自身が行うと、作業が終了した着用者の手袋に付着した汚染水等が、ファスナの間から飛び散って手など身体の一部に付着するおそれが高いが、本発明によれば、ファスナ開放操作を着用者以外の別人が行うことによって斯かる危険性を回避することができ、より安全性の高い防護服を実現することができるようになる。
【符号の説明】
【００２８】
１  防護服本体
２  胴体部
３  脚部
４  袖部
５  フード部
６  顔出し窓部
７  開閉部
８  ファスナ
８ａ  スライダ
９  開放部
１０  カバーテープ
Ａ  本発明放射能汚染防護服
【図１】
0005729706.tif 000002
【図２】
0005729706.tif 000003
【図３】
0005729706.tif 000004
【図４】
0005729706.tif 000005
【図５】
0005729706.tif 000006
【図６】
0005729706.tif 000007
【図７】
0005729706.tif 000008